(57)【要約】【課題】  不特定多数で同時に使用するシステムにおいて、ユーザ固有の手書き文字認識辞書を使用して認識率を高める情報処理装置を提供する。【解決手段】  ＩＤを有する手書き入力可能な複数の入力手段のうち任意の入力手段によって入力されたサインを認証データを用いて認証し、認証されたサインに関連付けられたユーザＩＤと、入力手段のＩＤとを関連付け、関連付けられたユーザＩＤに関連付けられている文字認識辞書を入力手段のＩＤに関連付ける。【選択図】  図３
2006039734.tif 000002
【特許請求の範囲】
【請求項１】
サインとユーザＩＤが関連付けられた認証データと、ユーザＩＤと文字認識辞書が関連付けられた辞書データを用いる情報処理装置であって、
ＩＤを有する手書き入力可能な複数の入力手段のうち任意の入力手段によって入力されたサインを前記認証データを用いて認証する認証手段と、
前記認証データにおいて前記認証されたサインに関連付けられたユーザＩＤと、前記認証手段で認証された入力手段のＩＤとを関連付ける第１の関連付け手段と、
前記第１の関連付け手段によって関連付けられた前記ユーザＩＤに関連付けられている文字認識辞書を前記入力手段のＩＤに関連付ける第２の関連付け手段と
を有することを特徴とする情報処理装置。
【請求項２】
前記ユーザ認証データをネットワーク上の装置に置くことを特徴とする請求項１に記載の情報処理装置。
【請求項３】
前記辞書データをネットワーク上の装置に置くことを特徴とする請求項１に記載の情報処理装置。
【請求項４】
サインとユーザＩＤが関連付けられた認証データと、ユーザＩＤと文字認識辞書が関連付けられた辞書データを用いた情報処理装置の制御方法であって、
ＩＤを有する手書き入力可能な複数の入力手段のうち任意の入力手段によって入力されたサインを前記認証データを用いて認証する認証工程と、
前記認証データにおいて前記認証されたサインに関連付けられたユーザＩＤと、前記認証工程で認証された入力手段のＩＤとを関連付ける第１の関連付け工程と、
前記第１の関連付け工程によって関連付けられた前記ユーザＩＤに関連付けられている文字認識辞書を前記入力手段のＩＤに関連付ける第２の関連付け工程と
を有することを特徴とする情報処理装置の制御方法。
【請求項５】
前記ユーザ認証データをネットワーク上の装置に置くことを特徴とする請求項４に記載の情報処理装置の制御方法。
【請求項６】
前記辞書データをネットワーク上の装置に置くことを特徴とする請求項４に記載の情報処理装置の制御方法。
【請求項７】
請求項４から６のいずれかに記載の制御方法をコンピュータに実行させるためのコンピュータプログラム。
【発明の詳細な説明】
【技術分野】
【０００１】
本発明は、手書き文字を認識する情報処理装置及びその制御方法、プログラムに関する。
【背景技術】
【０００２】
従来、情報処理装置における手書き文字認識は該情報処理装置にログインした人の認識辞書を用いるようになっており、該情報処理装置にログインした人の手書き文字認識に最適化された認識辞書を使用するものがあった。
【０００３】
また、特開平２００３−３４５５０５号公報で開示されているように、座標入力を行なうデバイスにＩＤを付け、そのＩＤを該デバイスの所有者固有として扱い、デバイスＩＤをもって認証済みとするコンピュータシステムがあった。
【特許文献１】特開平２００３−３４５５０５号公報
【発明の開示】
【発明が解決しようとする課題】
【０００４】
しかしながら、ログインした人の認識辞書を用いる場合、ログインした人と違う人が手書き文字認識を行なうと、該情報処理装置にログインした人の手書き文字認識に最適化された認識辞書を使用するため、初期状態の手書き文字認識よりも悪い認識結果をもたらす場合があった。つまり、サイン認証によるログインで、認証されたユーザ固有の手書き文字認識辞書を使用するシステムでは、認証されたユーザ以外の人が手書き文字認識を行なうことを想定しておらず、例えば電子会議システムにおいて、電子ホワイトボードアプリケーションで手書き文字認識を行なうような場合に、不特定の操作者の手書き文字の認識を行なうときに認識率が低下するという問題があった。
【０００５】
また、特開平２００３−３４５５０５号で開示されているシステムでは、入力デバイスＩＤをユーザＩＤと関連付けて管理し、入力デバイスＩＤにより操作することでユーザを識別し、操作画面を変えるシステムを提案しているが、操作者は一人という前提であり、会議室のような不特定多数が使用する場所で使用する場合、会議システムにおける電子ホワイトボードアプリケーションで複数の人が操作することができないという問題があった。
【０００６】
そこで、本発明は前記のような技術課題を解決するもので、その目的は、電子会議システムの電子ホワイトボード等のアプリケーションにおいて、複数のユーザがそれぞれのペンで手書き文字を書き込むシステムにおいて、それぞれの手書き文字認識率を向上させることができるシステムを提供することである。
【課題を解決するための手段】
【０００７】
本発明は、サインとユーザＩＤが関連付けられた認証データと、ユーザＩＤと文字認識辞書が関連付けられた辞書データを用いる情報処理装置であって、ＩＤを有する手書き入力可能な複数の入力手段のうち任意の入力手段によって入力されたサインを前記認証データを用いて認証する認証手段と、前記認証データにおいて前記認証されたサインに関連付けられたユーザＩＤと、前記認証手段で認証された入力手段のＩＤとを関連付ける第１の関連付け手段と、前記第１の関連付け手段によって関連付けられた前記ユーザＩＤに関連付けられている文字認識辞書を前記入力手段のＩＤに関連付ける第２の関連付け手段とを有することを特徴とする。
【０００８】
また、本発明は、サインとユーザＩＤが関連付けられた認証データと、ユーザＩＤと文字認識辞書が関連付けられた辞書データを用いた情報処理装置の制御方法であって、
ＩＤを有する手書き入力可能な複数の入力手段のうち任意の入力手段によって入力されたサインを前記認証データを用いて認証する認証工程と、前記認証データにおいて前記認証されたサインに関連付けられたユーザＩＤと、前記認証工程で認証された入力手段のＩＤとを関連付ける第１の関連付け工程と、前記第１の関連付け工程によって関連付けられた前記ユーザＩＤに関連付けられている文字認識辞書を前記入力手段のＩＤに関連付ける第２の関連付け工程とを有することを特徴とする。
【発明の効果】
【０００９】
本発明によれば、それぞれのペンの使用者に最適化された手書き文字認識辞書を用いることができ、手書き文字認識率が上がる効果がある。
【発明を実施するための最良の形態】
【００１０】
本発明の情報処理装置及び方法、プログラムの実施の形態について、図面を用いて以下に説明する。
【００１１】
図１は本発明で提供される情報処理装置の装置構成を示す。
【００１２】
入力受付手段として、光学式デジタイザ２（以下、デジタイザ２）を用い、これに組み合わされて使用される入力操作手段としては、デバイスＩＤを電子データとして格納しているＩＤ付きのペン１を用いる。ペン１は、デジタイザ２に対する位置座標が光学的に検出されるものである。デジタイザ２は、ペン１によるデジタイザ２上の軌跡３をデジタルデータとして出力する。軌跡３のデジタルデータはＲＯＭ４に記憶されている情報処理手段により、適当なＧＵＩ等に基づいて表示装置８に表示される。デジタイザ２が表示装置８の画面を覆うように装着してある場合は、デジタイザ２上の軌跡はリアルタイムで表示装置８に表示され、あたかもペン１で表示装置８に直接書いているかのように表示される。９は各装置間のデータを伝送するバスである。
【００１３】
デジタイザ２上でペン１でサインを書くと、ＲＯＭ４に記憶されているユーザ認証手段によりユーザ認証を行なう。その際、ユーザ認証用データ記憶手段６を参照してユーザ認証を行なう。ユーザ認証用データ記憶手段６はユーザＩＤとサインを関連付けて記憶している。サインが認証されると、サインを行なったペンのＩＤにユーザＩＤを関連付ける。その際、手書き文字認識辞書データ記憶手段７上にある該ユーザＩＤに固有の手書き文字認識辞書をペンＩＤに関連付ける。
【００１４】
図２はペンＩＤと関連付けられるユーザＩＤおよび手書き文字認識辞書の管理テーブルを表す図である。２１はペンＩＤとユーザＩＤ及びユーザＩＤ固有の手書き文字認識用辞書を関連付けて管理するためのテーブルであり、２２はペンＩＤに関連付けられたユーザＩＤ、２３はペンＩＤに関連付けられた手書き文字認識用辞書である。管理テーブル２１は図１のＲＡＭ５に一時的に記憶されるが、ハードディスクやメモリカードといった外部記憶装置、フラッシュメモリのような機器内蔵の記憶装置に記憶させても良い。
【００１５】
２５はユーザによるユーザ認証の入力処理を行うユーザ認証用データ記憶手段である。２６はユーザ認証入力処理２４で入力されたサイン情報により登録されているユーザであるかどうかの認証を行なうための手段とデータが記憶されている手書き文字認識辞書データ記憶手段である。手書き文字認識辞書データ記憶手段２６は個別あるいは汎用の手書き文字認識の手段及び辞書データが保存されている。ユーザ認証用データ記憶手段および手書き文字認識辞書データ記憶手段２６はハードディスク等の情報処理装置内の外部記憶装置に記憶されているが、ＲＯＭ４の中にあっても良い。また該外部記憶装置は情報処理装置の内部にあっても良いし、ネットワーク上の他の情報処理装置内にあっても良いし、ネットワークに直接接続されていても良い。また、ここではデジタイザとして光学式デジタイザを用いるが、電磁誘導方式や抵抗膜方式等、他の検出方式を用いても構わなく、入力操作手段はペンに限らず、座標を入力できるものであればマウスや指示棒等何でも構わない。
【実施例１】
【００１６】
本発明の第一の実施例を図１〜図３を用いて説明する。
【００１７】
図３は本発明の第一の実施例の情報処理装置およびその制御方法で実現される方法のフローチャートである。図３のフローチャートに従って説明する。ステップＳ１において操作者は本発明の情報処理装置に付属のＩＤ付きのペン１を受け取る。ステップＳ２において操作者が該ペン１を用いてデジタイザ２上でサインを書くと、ユーザ認証用データ記憶手段６に記憶されているユーザ情報によりユーザ認証処理を行なう。ステップＳ３においてユーザ認証処理の結果、登録ユーザであった場合はステップＳ４に進み、ユーザ認証を行なったペン１のＩＤ２１にサインに対応するユーザＩＤを関連付け、ステップＳ５でユーザＩＤに固有の手書き文字認識辞書をペン１のＩＤ２１に関連付ける。ステップＳ６においてステップＳ４とステップＳ５においてペン１のＩＤ２１に関連付けられたユーザＩＤ及びユーザＩＤに固有の手書き文字認識辞書をそれぞれ２２、２３に保存し、処理を終了する。
【００１８】
ステップＳ３においてユーザ認証処理の結果、登録ユーザで無かった場合はステップＳ７に進み、ユーザ認証を行なったペン１のＩＤ２１にゲストユーザＩＤを関連付け、ステップＳ６で汎用の手書き文字認識辞書をペン１のＩＤ２１に関連付ける。ステップＳ６においてステップＳ７とステップＳ８においてペン１のＩＤ２１に関連付けられたゲストユーザＩＤ及び汎用の手書き文字認識辞書をそれぞれ２２、２３に保存し、処理を終了する。
【００１９】
本発明において、ユーザ認証の手段及び手書き文字認識の手段については特に限定しない。
【実施例２】
【００２０】
本発明の第二の実施例を図２、図４、図５を用いて説明する。図４は本発明の第二の実施例で提供される、ネットワーク１５で接続された端末Ａ１１、端末Ｂ１２の装置構成や同じネットワーク１５に接続される本発明で提供される方法が用いられるサーバー１３の装置構成を示す。端末Ａ１１および端末Ｂ１２はそれぞれ会議室などに置かれた不特定多数の操作者が使用する共有の情報処理装置である。端末の数は限定しない。
【００２１】
入力受付手段として、光学式デジタイザ２（以下、デジタイザ２）を用い、これに組み合わされて使用される入力操作手段としては、デバイスＩＤを電子データとして格納しているペン１を用いることが出来る。ペン１は、デジタイザ２（以下、デジタイザ２）に対する位置座標が光学的に検出されるものである。デジタイザ２は、ペン１によるデジタイザ上の軌跡３をデジタルデータとして出力する。軌跡３のデジタルデータはＲＯＭ４に記憶されている情報処理手段により、適当なＧＵＩ等に基づいて表示装置８に表示される。デジタイザ２が表示装置８の画面を覆うように装着してある場合は、デジタイザ２上の軌跡はリアルタイムで表示装置８に表示され、あたかもペン１で表示装置８に直接書いているかのように表示される。９はデータを伝送するバスである。
【００２２】
デジタイザ２上でペン１を使用してサインを書くと、ＲＯＭ４に記憶されているユーザ認証手段によりユーザ認証を行なう。その際、ネットワーク１５で接続されたサーバー１３上のユーザ認証用データ記憶手段６を参照してユーザ認証を行なう。ユーザが認証されると、サインを行なったペンのＩＤにユーザＩＤを関連付ける。その際、ネットワーク１５で接続されたサーバー１３上の手書き文字認識辞書データ記憶手段７上にある該ユーザＩＤに固有の手書き文字認識辞書をペンＩＤに関連付ける。ユーザＩＤと該ユーザの情報および該ユーザ固有の手書き文字認識辞書および認識手段等はサーバー１３から端末Ａ１１および端末Ｂ１２のＲＡＭ５にコピーして実行しても良い。
【００２３】
図５は本発明の第二の実施例の情報処理装置およびその稼動方法で実現される方法のフローチャートである。図５のフローチャートに従って本発明の第二の実施例を説明する。ステップＳ１１において操作者は本発明の情報処理装置に付属のペン１を受け取る。ステップＳ１２において操作者が該ペン１を用いてデジタイザ２上でサインを書くと、ステップＳ１３においてネットワーク１５に接続されているサーバー１３上のユーザ認証用データ記憶手段６に記憶されているユーザ情報によりユーザ認証処理を行なう。ステップＳ１４においてユーザ認証処理の結果、登録ユーザであった場合はステップＳ１５に進み、ユーザ認証を行なったペン１のＩＤ２１にユーザＩＤを関連付け、ステップＳ１６でユーザＩＤに固有の手書き文字認識辞書をペン１のＩＤ２１に関連付ける。ステップＳ１７においてステップＳ１５とステップＳ１６においてペン１のＩＤ２１に関連付けられたユーザＩＤ及びユーザＩＤに固有の手書き文字認識辞書をそれぞれ２２、２３に保存し、処理を終了する。
【００２４】
ステップＳ１４においてユーザ認証処理の結果、登録ユーザで無かった場合はステップＳ１８に進み、ユーザ認証を行なったペン１のＩＤ２１にゲストユーザＩＤを関連付け、ステップＳ１９で汎用の手書き文字認識辞書をペン１のＩＤ２１に関連付ける。ステップＳ１７においてステップＳ１８とステップＳ１９においてペン１のＩＤ２１に関連付けられたゲストユーザＩＤ及び汎用の手書き文字認識辞書をそれぞれ２２、２３に保存し、処理を終了する。
【００２５】
本発明において、ユーザ認証の手段、ユーザ認証の手段及び手書き文字認識の手段については特に限定しない。
【００２６】
このように本発明は、不特定多数を対象とした電子会議システムにおいて、複数のペンをそれぞれの会議参加者がその場で受け取り、サイン認証を行なうことでそれぞれのユーザ固有の手書き文字認識の辞書を使用することが出来るので文字認識率が上がり、使い勝手が良い。
【００２７】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【００２８】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００２９】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【図面の簡単な説明】
【００３０】
【図１】本発明の実施の形態に係る情報処理装置の構成図である。
【図２】ペンＩＤとユーザＩＤ、ユーザ固有の手書き文字認識辞書との関連付けを表すテーブルである。
【図３】本発明の実施の形態に係る情報処理装置の稼動方法のフローチャートである。
【図４】本発明の実施の形態に係る情報処理装置の構成図である。
【図５】本発明の実施の形態に係る情報処理装置の稼動方法のフローチャートである。
【符号の説明】
【００３１】
１  ペン
２  デジタイザ
３  軌跡
４  本実施例の実行するための手段を記憶しているＲＯＭ
５  本実施例を実行する際に使用するＲＡＭ
６  ユーザ認証用データ記憶手段
７  手書き文字認識辞書データ記憶手段
８  表示装置
９  バス
１０  情報処理装置
１１  端末Ａ
１２  端末Ｂ
１３  サーバー
１５  ネットワーク
【図１】
2006039734.tif 000003
【図２】
2006039734.tif 000004
【図３】
2006039734.tif 000005
【図４】
2006039734.tif 000006
【図５】
2006039734.tif 000007